(57)【要約】【課題】取付時のリスクを軽減し、また周辺環境等の影響を軽減した雨樋アンテナの取付構造を提供する。【解決手段】本発明は、雨樋アンテナ３と、軒樋１とを備え、雨樋アンテナ３は、筒状の樋体３０と、樋体３０の第１端部３０ａに設けられ竪樋８４に接続可能な接続体４とを備え、樋体３０は、雨水を流すための筒部３２と、筒部３２の外周に配置されたアンテナ部５０とを有した雨樋アンテナ３の取付構造であって、軒樋１は、接続体４を取り付けるための取付部７を有し、雨樋アンテナ３は、接続体４の上方に樋体３０を位置させた姿勢で、接続体４が取付部７に取り付けられる。【選択図】図１
2014173401.tif 000002
【特許請求の範囲】
【請求項１】
雨樋アンテナと、軒樋とを備え、
前記雨樋アンテナは、筒状の樋体と、この樋体の第１端部に設けられ竪樋に接続可能な接続体とを備え、
前記樋体は、雨水を流すための筒部と、この筒部の外周に配置されたアンテナ部とを備えた雨樋アンテナの取付構造であって、
前記軒樋は、前記接続体を取り付けるための取付部を備え、
前記雨樋アンテナは、前記接続体の上方に前記樋体を位置させた姿勢で、前記接続体が前記取付部に取り付けられるものであることを特徴とする雨樋アンテナの取付構造。
【請求項２】
前記軒樋は、上方に開口した樋部材と、この樋部材を保持するための吊り具とを備え、
前記取付部は、前記吊り具から上方に突出して設けられたものであることを特徴とする請求項１記載の雨樋アンテナの取付構造。
【請求項３】
前記軒樋は、上方に開口した樋部材と、この樋部材の排水口に設けられたドレンとを備え、
このドレンは、前記排水口から上方に突出したごみ除け部を有し、
前記取付部は、前記ごみ除け部から上方に突出して設けられたものであることを特徴とする請求項１記載の雨樋アンテナの取付構造。
【請求項４】
前記雨樋アンテナは、前記アンテナ部を外部機器用のケーブルに接続するための給電路を備え、
前記給電路は、一端に前記アンテナ部と接続させるための第１接続部を有し、他の一端に前記ケーブルと接続させるための第２接続部を有し、
前記樋体は、前記給電路の第１接続部側及び前記アンテナ部を覆うための被覆体を備え、
前記接続体は、その下部に、前記第２接続部と前記ケーブルとの接続用の貫通孔を設けたものであることを特徴とする請求項１乃至３のいずれか一項記載の雨樋アンテナの取付構造。
【発明の詳細な説明】
【技術分野】
【０００１】
本発明は、雨樋アンテナの取付構造に関する。
【背景技術】
【０００２】
特許文献１には、従来の雨樋アンテナが開示されている。このものでは、アンテナ樋本体と、このアンテナ樋本体を他の筒状樋に接続するための接続体とを備える。そして、前記アンテナ樋本体は、雨水を流すための排水筒部と、アンテナ部とを有する。
【先行技術文献】
【特許文献】
【０００３】
【特許文献１】特開２０１２−１７２３９０号公報
【発明の概要】
【発明が解決しようとする課題】
【０００４】
ところで、特許文献１等に示す雨樋アンテナは、例えば、竪樋を上下に分割して、この分割した間に配置される。すなわち、従来の雨樋アンテナの取付構造では、既存の竪樋の一部を切断して雨樋アンテナの寸法分取り除き、その空いたスペースに雨樋アンテナを取り付けて、配置している。このため、この雨樋アンテナの取付構造にあっては、竪樋等の既存の樋を切断するため、この作業の失敗時のリスクが大きくなり易い。また、前記雨樋アンテナの取付構造にあっては、竪樋に設けるため、その建物の構造（竪樋の位置）やこの建物の周辺環境等の影響を受け易く、この影響によって受信感度や受信品質が低下することがある。
【０００５】
本発明は、前記事情に鑑みてなされたものであって、取付時のリスクを軽減し、また周辺環境等の影響を軽減した雨樋アンテナの取付構造を提供することを課題とする。
【課題を解決するための手段】
【０００６】
前記課題を解決するために本発明は、雨樋アンテナと、軒樋とを備え、前記雨樋アンテナは、筒状の樋体と、この樋体の第１端部に設けられ竪樋に接続可能な接続体とを備え、前記樋体は、雨水を流すための筒部と、この筒部の外周に配置されたアンテナ部とを備えた雨樋アンテナの取付構造であって、前記軒樋は、前記接続体を取り付けるための取付部を備え、前記雨樋アンテナは、前記接続体の上方に前記樋体を位置させた姿勢で、前記接続体が前記取付部に取り付けられるものであることを特徴とする。
【０００７】
また、前記軒樋は、上方に開口した樋部材と、この樋部材を保持するための吊り具とを備え、前記取付部は、前記吊り具から上方に突出して設けられたものであることが好ましい。
【０００８】
また、前記軒樋は、上方に開口した樋部材と、この樋部材の排水口に設けられたドレンとを備え、このドレンは、前記排水口から上方に突出したごみ除け部を有し、前記取付部は、前記ごみ除け部から上方に突出して設けられたものであることが好ましい。
【０００９】
また、前記雨樋アンテナは、前記アンテナ部を外部機器用のケーブルに接続するための給電路を備え、前記給電路は、一端に前記アンテナ部と接続させるための第１接続部を有し、他の一端に前記ケーブルと接続させるための第２接続部を有し、前記樋体は、前記給電路の第１接続部側及び前記アンテナ部を覆うための被覆体を備え、前記接続体は、その下部に、前記第２接続部と前記ケーブルとの接続用の貫通孔を設けたものであることが好ましい。
【発明の効果】
【００１０】
本発明は、雨樋アンテナを竪樋と軒樋とから択一的に選択して取付可能となっている。そして、本発明は、軒樋や竪樋に雨樋アンテナを設けることで、屋根上に専用のアンテナを設置する必要を無くすことができる。このため、本発明は、機能パネル等の屋根上に設置する外部装置に対して、その設置スペースに雨樋アンテナを干渉し難くすることができる。また、本発明は、既設の雨樋に雨樋アンテナを取り付ける場合において、雨樋アンテナを軒樋に取り付けることで、既設の竪樋を水上側と水下側とに分割する（軒樋を切断する）必要を無くすことができる。これによって、本発明は、雨樋アンテナ取付時のリスクを軽減し易くすることができる。更に、本発明は、軒樋に雨樋アンテナを取り付けることで、竪樋に取り付ける場合に比べて、アンテナ部を高所に位置させることができる。このため、本発明は、その建物の構造（竪樋の位置）やこの建物の周辺環境等の影響を軽減し易くすることができる。これによって、本発明は、竪樋に取り付ける場合に比べて、アンテナ部の受信感度や受信品質等を向上し易くすることができる。
【図面の簡単な説明】
【００１１】
【図１】第一実施形態の取付構造の断面図である。
【図２】同上における雨樋アンテナの一部を透過した斜視図である。
【図３】同上の雨樋アンテナの分解斜視図である。
【図４】同上の雨樋アンテナの軒樋取付時における第１接続体の下方側から視た斜視図である。
【図５】同上の雨樋アンテナを竪樋に取り付けた状態の全体概略図である。
【図６】第二実施形態の取付構造の断面図である。
【発明を実施するための形態】
【００１２】
以下、本発明を添付図面に基づいて説明する。
【００１３】
本発明の第一実施形態の雨樋アンテナ３は、例えば図１や図５に示すように、建物８の軒先に取り付けられる。建物８は、例えば、外壁８０の上端部に軒天井８３を有しており、軒天井８３の上方に屋根８１が設けられる。屋根８１は、傾斜した屋根面を有しており、屋根８１の水下側（傾斜の下端側）が軒側に位置する。そして、建物８は、軒天井８３が、屋根８１の軒側端部８２より棟側に位置する。以下の説明では、傾斜した屋根面に沿って軒と棟を結ぶ方向（所謂屋根勾配に沿った方向）に直交する棟に沿う方向を、軒方向とし、軒方向及び上下方向の両方向に直交する方向を、前後方向として、軒側を前方とし、棟側を後方とする。
【００１４】
雨樋アンテナ３は、軒樋１、或いは竪樋８４に取り付けられる。言い換えると、雨樋アンテナ３の取付構造は、雨樋アンテナ３と、軒樋１と、竪樋８４とを備える。なお、雨樋アンテナ３の取付構造は、雨樋アンテナ３を軒樋１に取り付ける場合、竪樋８４を備えなくてもよい。
【００１５】
軒樋１は、図１に示すように、軒に沿って設けられており、軒天井８３の前方に配置される。軒樋１は、上方に開口した樋部材１０と、樋部材１０を保持するための吊り具２と、樋部材１０の排水口１１に設けられたドレン１４とを備える。樋部材１０は、軒方向に長さを有する。樋部材１０は、軒方向に視て、その断面形状が、上方に開口したＵ字形状となっている。樋部材１０は、Ｕ字の両上端に各々、吊り具２に保持される耳部１２（詳細は後述する）を有する。
【００１６】
吊り具２は、建物８に固着される固着部２１と、固着部２１に突出して設けられ樋部材１０を保持する突出部２２とを有する。固着部２１は、例えば、板状に形成される。固着部２１は、棟側の板面（後面）が、ねじ等の固着具を用いて、軒天井８３に固着される。固着部２１は、反対の板面（前面）に突出部２２が設けられる。突出部２２は、固着部２１から前記前面に略直交する向きで（前方に）突出する。なお、固着部２１の固着位置は、軒天井８３に限らず、外壁８０の上端部であればよい。
【００１７】
突出部２２は、両耳部１２の並ぶ方向（前後方向）に長さを有する。突出部２２は、樋部材１０の両耳部１２の間に亘って設けられる。突出部２２は、各耳部１２に対応する部位に夫々、耳部１２に嵌り耳部１２を保持する係止部２３を有する。このため、吊り具２は、各係止部２３を対応する耳部１２に嵌める（係止する）ことで、樋部材１０を保持することができる。これによって、樋部材１０は、建物８の軒先に取り付けられる。
【００１８】
また、突出部２２は、例えば、上面部２２ａを有した角棒状に形成される。そして、突出部２２は、例えば、合成樹脂製となっている。なお、突出部２２は、上面部２２ａを有した板状に形成されてもよい。
【００１９】
また、樋部材１０は、Ｕ字の底面部に排水口１１が設けられる。排水口１１は水平断面円形状で開口する。また、排水口１１の下方には、軒先の竪樋８４やエルボ等の接続継手８５等が連通接続される。ドレン１４は、落ち葉等のごみの排水口１１への流入を抑制するごみ除け部１５を有する。
【００２０】
ごみ除け部１５は、排水口１１から上方に突出して形成される。ごみ除け部１５は、例えば、排水口１１の縁部から上方に突出する複数のリブ１６と、リブ１６の上部に設けられたオーバーフロー部１７とで形成される。リブ１６は、上方側ほど、排水口１１の中央側に向けて傾斜して設けられる。オーバーフロー部１７は、水平断面円環状に形成される。オーバーフロー部１７は、上下方向に長さを有する。オーバーフロー部１７は、上下方向において、円環の中心軸が、排水口１１の中心と略一致する。オーバーフロー部１７は、その外周面に、各リブ１６の上端が設けられる。このため、オーバーフロー部１７は、複数のリブ１６の上端に亘って設けられる。言い換えると、複数のリブ１６は、その上端が、オーバーフロー部１７を介して、繋がるよう形成される。
【００２１】
雨樋アンテナ３は、図５に示すように、竪樋８４の一部として利用可能な筒状樋形状をしたアンテナである。言い換えると、雨樋アンテナ３は、排水機能を有するアンテナである。雨樋アンテナ３は、電波の受信用のアンテナとして機能するように構成される。雨樋アンテナ３は、例えば、図示しない外部の電気機器（外部機器）に、ケーブル８７（詳細は後述する）を介して接続される。この外部機器は、例えば、テレビ等の映像機器やラジオ等の音声機器である。
【００２２】
また、雨樋アンテナ３は、図２や図３に示すように、筒状の樋体３０と、樋体３０の両端部に各々設けられた接続体４と、ケーブル８７に接続されるための給電路５５とを備える。以下の説明において、樋体３０の一方の端部を、第１端部３０ａとし、反対側の端部を、第２端部３０ｂとする。
【００２３】
樋体３０は、上下方向における両端部に各々、接続体４（詳細は後述する）が取り付けられる。樋体３０は、雨水を流すための筒部３２（内筒）と、筒部３２の外面に設けられたアンテナ部５０と、アンテナ部５０を外側から覆う筒状の被覆体３６（外筒）とを有する。
【００２４】
被覆体３６は、水平断面円環状の所謂丸樋形状となっている。被覆体３６は、非導電性の合成樹脂材で形成される。被覆体３６は、上下方向に長さを有する。被覆体３６は、中心軸が上下方向に平行となるよう配置される。
【００２５】
筒部３２は、被覆体３６の内側に収容される。筒部３２は、非導電性の合成樹脂材で形成される。筒部３２は、円筒状に形成される。筒部３２は、上下方向に長さを有しており、上下に開口する。筒部３２は、その中心軸が上下方向に平行となるよう配置される。このため、筒部３２の中心軸は、被覆体３６の中心軸と略一致する。筒部３２の外径は、被覆体３６の内径に比べて小寸となっている。
【００２６】
また、筒部３２は、その内部に、雨水を流すための排水路３３が設けてある。排水路３３は、上下方向（筒部３２の軸方向）に沿った直線状に設けられる。排水路３３は、水平断面略楕円の環状に形成されており、この楕円の内側に雨水を流すことができる。排水路３３は、上下方向において、その中心軸が筒部３２の中心軸と略一致する。このため、筒部３２は、水平断面２重の円環状となっている。
【００２７】
更に、排水路３３は、第１端部３０ａ側の端部に集水部３４が設けてある。そして、排水路３３は、集水部３４側（第１端部３０ａ側）が上流側（水上側）となっており、反対側（第２端部３０ｂ側）が下流側（水下側）となっている。言い換えると、排水路３３は、水平断面略楕円環状の流路本体部と、その上流端に形成された集水部３４とを有する。
【００２８】
集水部３４は、水平断面円環状に形成されており、前記流路本体部の楕円の中心軸と略一致する。なお、排水路３３において、前記楕円の中心軸は、水平断面において楕円の短軸と長軸との交点を通る当該水平断面に直角な方向の直線とする。また、排水路３３は、筒部３２の内周面で形成される等で、水平断面円環状であってもよい。
【００２９】
アンテナ部５０は、電波を受信するためのものである。アンテナ部５０は、筒部３２の外周部３２ａ（外面）に取り付けられる。アンテナ部５０は、筒部３２と被覆体３６との間に設けられる。アンテナ部５０は、筒部３２の外周部３２ａに沿うよう外側から重ねられる。言い換えると、アンテナ部５０は、筒部３２の外周に積層される。更に、アンテナ部５０は、その外周側に設けられた水平断面円環状の取付部材５１によって、筒部３２に固定される。なお、アンテナ部５０は筒部３２の外周部３２ａの肉厚内に埋設されてもよい。
【００３０】
アンテナ部５０は、導電性を有する金属板材（金属箔も含まれる）で形成される。アンテナ部５０は、水平断面略Ｃ字状となっている。例えば、アンテナ部５０は、縦長矩形状の金属板材を短辺方向がＣ字状となるよう長辺方向に一様に湾曲させることで形成される。更に、アンテナ部５０は、保護シート５３が金属板材に積層された構造となっている。保護シート５３は、非導電性となっている。これによって、アンテナ部５０は、錆の発生が抑制される。なお、アンテナ部５０は、保護シート５３を備えなくてもよい。
【００３１】
また、アンテナ部５０は、例えば、スロットアンテナで形成される。このスロットアンテナは、上下方向に複数のスロットが設けられる。このため、アンテナ部５０は、指向性を有する。前記スロットは、上下方向に複数並設されている（本実施形態では２箇所）。このスロット同士は、スリット状の細溝で接続される。前記スロットは、前記スロットアンテナ（前記金属板材）の周方向の一部に形成される。各スロットは、金属板材を貫通する開口孔により形成される。各スロットは、所謂ボウタイ形状に形成される。このボウタイ形状とは、一対の三角形の頂点同士を互いに突き合わせたような形状と定義される。
【００３２】
本実施形態において、アンテナ部５０は、第一の受信部と、第二の受信部とを有する。前記第一の受信部は、第一の周波数帯（例えば４７３〜６００ＭＨｚ）の電波を受信する。前記第二の受信部は、第二の周波数帯（例えば６００〜７２０ＭＨｚ）の電波を受信する。前記第一の受信部は、前記スロット及びスロットの開口周縁部により構成される。前記第二の受信部は、前記スロットに対して上下方向に隣接する周方向に連続した金属板材により構成される。また、前記第一の受信部を構成するスロットの上下方向の長さは、前記第一の周波数帯内の電波の電気的な半波長の長さに応じて決定される。前記第二の受信部の周方向の長さは、前記第二の周波数帯内の電波の電気的な半波長の長さに応じて決定される。
【００３３】
また、一方のスロットは、給電部５２を有する。給電部５２は、前記一方のスロットの上下方向の略中央に設けられる。給電部５２は、周方向に対向する三角状片の頂点部分で形成される。給電部５２には、給電路５５が電気的に接続される。
【００３４】
給電路５５は、例えば、同軸ケーブルで形成される。この同軸ケーブルは、中央の電線と、外側の網線とを有する。この同軸ケーブルは、中央の電線が一方の三角状片に接続され、外側の網線が他方の三角状片に接続される。給電路５５は、アンテナ部５０で受信した電波を、屋内側の前記外部機器に出力するために用いられる。給電路５５は、その一端に給電部５２を接続させるための第１接続部５６を有し、他の一端にケーブル８７（詳細は後述する）を接続させるための第２接続部５７を有する。第１接続部５６は、取付部材５１に固定される。第１接続部５６は、取付部材５１に固定された状態で、アンテナ部５０の給電部５２と電気的に接続される。
【００３５】
更に、給電路５５は、アンテナ部５０の外面に沿って配置される。給電路５５は、第１接続部５６を接続させた給電部５２から、スロットと重複しないように、スロットを避けた位置を通過して、第１端部３０ａ側の接続体４に至る。給電路５５の第２接続部５７は、第１端部３０ａ側の接続体４の外面に露出して固定されており、この状態でケーブル８７の一端が接続される。
【００３６】
ケーブル８７は、例えば、前記外部機器と給電路５５（雨樋アンテナ３）とを電気的に接続するための中継用の同軸ケーブルで形成される。ケーブル８７は、例えば、他の一端側が、軒天井８３（外壁８０の上端部）を通して家屋（屋内）に導入されるよう構成される。言い換えると、軒天井８３（外壁８０の上端部）には、ケーブル８７を挿通させて屋内に導入させるための挿通孔（図示せず）が設けられる。
【００３７】
接続体４は、例えば、図５に示すように、軒先の竪樋８４やエルボ等の接続継手８５等の他の筒状樋に接続可能となっている。以下の説明において、二つの接続体４を区別する場合には、第１端部３０ａ（排水路３３の上流側）に設けられた接続体４を、第１接続体４１とし、第２端部３０ｂ（排水路３３の下流側）に設けられた接続体４を、第２接続体４２とする。
【００３８】
雨樋アンテナ３は、第１接続体４１を水上側（上流側）の竪樋８４ａに接続し、第２接続体４２を水下側（下流側）の竪樋８４ｂに接続することで、両竪樋８４を樋体３０（排水路３３）を介して連通接続させることができる。言い換えると、雨樋アンテナ３は、第１接続体４１を樋体３０の上方に位置させた姿勢で、水上側の竪樋８４ａと水下側の竪樋８４ｂとの間に設けることができる。これによって、雨樋アンテナ３は、水上側の竪樋８４ａからの水（雨水）を、排水路３３を介して水下側の竪樋８４ｂに流動させることができる。
【００３９】
接続体４は、樋体３０の軸周りに回転自在で、樋体３０を保持する。言い換えると、接続体４は、樋体３０（筒部３２や被覆体３６）の中心軸の軸周りの方向に回転自在となっている。更に言い換えると、接続体４は、上下方向に沿って回転軸を有し、この回転軸の軸周りに回転自在となっており、この回転軸は、上下方向において、樋体３０の中心軸と略同心に位置する。更に言い換えると、接続体４は、図２や図３に示すように、竪樋８４を取り付け可能な本体部４３と、本体部４３に対して回転自在の回転部４４とを有する。本体部４３には、回転部４４を介して、樋体３０が回転自在で取り付けられる。また、接続体４は、第１接続体４１と第２接続体４２とでその外殻形状が異なる。
【００４０】
第２接続体４２は、円筒状に形成される。第２接続体４２は、上下方向に長さを有する。第２接続体４２は、円筒の樋体３０側に、樋体３０の第２端部３０ｂが回転自在に取り付けられる。言い換えると、第２接続体４２は、樋体３０側の端部に回転部４４を有する。回転部４４は、水平断面円環状に形成される。回転部４４は、円の中心軸が、前記回転軸と略一致する。回転部４４は、上下方向における一端に、樋体３０の第２端部３０ｂが固定される。回転部４４は、上下方向の樋体３０側とは反対の一端に、本体部４３が回転自在で取り付けられる。本体部４３は、水平断面円環状に形成される。本体部４３は、竪樋８４に取り付ける場合、回転部４４側とは反対の一端に、水下側の竪樋８４が取り付けられる。
【００４１】
第１接続体４１は、上下方向に長さを有する。第１接続体４１は、平面視において、一側方に突出した部位（膨出部４６）を有した円形状となっている。第１接続体４１は、円形の中心軸が、前記回転軸と略一致する。言い換えると、第１接続体４１は、前記回転軸と中心軸が略一致する円筒状の部位と、この円筒状の部位から平面視一側方に突出した膨出部４６とを有する。第１接続体４１は、前記円筒状の部位に樋体３０の前記上流側となる端部が取り付けられる。更に言い換えると、第１接続体４１は、平面視において、樋体３０に比べて、その一側方に膨出部４６を有した形状となっている。
【００４２】
膨出部４６は、中空の箱状に形成される。膨出部４６は、その内部に給電路５５の第２接続部５７側が配置される。膨出部４６は、上下方向に各々端面部を有する。膨出部４６は、この二つの端面部のうち、樋体３０側の端面部に、第２接続部５７を保持する保持部４７を有する。
【００４３】
保持部４７は、上下方向において、膨出部４６の樋体３０側の端面部に貫通した孔状に形成される。第２接続部５７は、保持部４７に保持されることで、第１接続体４１の外部に露出する。そして、給電路５５は、この状態（第２接続部５７が保持部４７に保持された状態）で、第２接続部５７にケーブル８７が接続される。
【００４４】
言い換えると、第１接続体４１は、樋体３０側の一端側に回転部４４を有する。膨出部４６の回転部４４で形成される部位には、給電路５５用の保持部４７が設けられる。以下、膨出部４６の二つ端面部を区別する場合、樋体３０側の端面部（回転部４４で形成される端面部）を第１端面部４６ａとし、反対側の端面部（本体部４３で形成される端面部）を第２端面部４６ｂとする。
【００４５】
また、第１接続体４１には、樋体３０の回転を規制する規制部６が設けられる。規制部６は、前記回転を規制する規制状態と、この規制を解除した解除状態とに切替自在となっている。このため、樋体３０は、規制部６が前記解除状態の場合に、第１接続体４１に対して回転可能となる。
【００４６】
規制部６は、例えば、円環状のロック部材６０となっている。ロック部材６０は、本体部４３の前記円筒状の部位における第２端面部４６ｂ側の端部に設けられる。ロック部材６０は、円筒部６１と、円筒部６１の上下方向の一端から外周に突出するフランジ部６２とを有する。フランジ部６２は、前記円筒状の部位における第２端面部４６ｂ側の端部（端面）に当接される。円筒部６１は、上下方向のフランジ部６２とは反対側の部位の外周面に係止凸部６３を有する。
【００４７】
係止凸部６３は、集水部３４の内周面に設けられた被係止部（図示せず）に、脱着自在で引っ掛かるよう構成される。そして、雨樋アンテナ３は、係止凸部６３を前記被係止部に引っ掛ける（係止する）ことで、本体部４３に対する回転部４４（樋体３０）の回転を規制するよう構成される。また、雨樋アンテナ３は、前記係止を解除することで、前記回転の規制を解除するよう構成される。更に、第１接続体４１は、円筒部６１の内周側に、水上側の竪樋８４が取り付け可能となっている。
【００４８】
また、軒樋１は、図１に示すように、雨樋アンテナ３を取り付ける取付部７を備える。取付部７は、突出部２２の上面部２２ａに設けられる。取付部７は、突出部２２から上方に突出する。取付部７は、平面視において、屋根８１の軒側端部８２より前方（外方）に位置する。取付部７は、上下方向に中心軸を有した円柱状に形成される。取付部７は、円柱の外周面に雄ねじ７０が設けられる。雄ねじ７０は、その螺旋の中心軸が、前記円柱の中心軸と略一致する。更に、取付部７は、吊り具２に一体に設けてある。例えば、吊り具２と取付部７は一体成形で形成される。
【００４９】
雨樋アンテナ３は、図４に示すように、ロック部材６０の円筒部６１の内周面に、雌ねじ６５が設けられる。雌ねじ６５は、その螺旋の中心軸が、円筒部６１の中心軸と略一致する。雌ねじ６５は、取付部７の雄ねじ７０と嵌り合う（螺合する）よう構成される。このため、雨樋アンテナ３は、ロック部材６０の雌ねじ６５と取付部７の雄ねじ７０とを嵌め合せることで、取付部７に脱着自在で取り付けられる。雨樋アンテナ３は、軒樋１に取り付けられた状態において、第１接続体４１を樋体３０の下方に位置させた姿勢で、軒樋１から上方に突出する。
【００５０】
このように、本実施形態の雨樋アンテナ３の取付構造は、雨樋アンテナ３を、竪樋８４と軒樋１から択一的に選択して取付可能となっている。そして、本実施形態においては、軒樋１や竪樋８４に雨樋アンテナ３を設けることで、例えば八木式アンテナ等の専用のアンテナを屋根８１上に設置する必要を無くすことができる。
【００５１】
このため、本実施形態においては、例えば太陽光発電パネル（機能パネル）等の屋根８１上に設置する外部装置に対して、その設置スペースに雨樋アンテナ３を干渉し難くすることができる。これによって、本実施形態においては、前記外部装置等に屋根８１（屋根面）を利用し易くすることができて、雨樋アンテナ３を取り付ける建物８の利便性や商品価値を向上し易くすることができる。更に、本実施形態においては、雨樋アンテナ３が上下方向に伸びた外観形状となる。このため、本実施形態においては、魚の骨のように上下方向に加えて横方向にも突出した部材や固定用の支線やアンテナマスト等を有する前記専用のアンテナに比べて、雨樋アンテナ３を屋根８１の外観上目立ち難くすることができる。
【００５２】
また、本実施形態においては、既設の雨樋に雨樋アンテナ３を取り付ける場合において、雨樋アンテナ３を軒樋１に取り付けることで、竪樋８４を水上側と水下側とに分割して雨樋アンテナ３用の取付スペースを形成する等の必要を無くすことができる。言い換えると、本実施形態においては、既設の雨樋に雨樋アンテナ３を取り付ける場合、軒樋１に取り付けることで、既設の竪樋８４を切断する必要を無くすことができる。
【００５３】
これによって、本実施形態においては、既設の竪樋８４の切断等の既設の状態に戻し難い施工作業を生じ難くすることができて、雨樋アンテナ３取付時のリスクを軽減し易くすることができる。更に、本実施形態においては、施工者の技量の影響を受け難くすることができて、雨樋アンテナ３を容易に取付可能となり、施工後の仕上がりを一定以上にし易くする（良好な仕上がりにし易くする）ことができる。
【００５４】
そして、本実施形態においては、吊り具２に雨樋アンテナ３を取り付けるため、竪樋８４に取り付ける場合に比べて、アンテナ部５０を高所に位置させることができる。このため、本実施形態においては、取り付ける建物８の構造（竪樋８４の位置）や建物８の周辺環境等の影響を受け難くする（影響を軽減し易くする）ことができる。これによって、本実施形態においては、竪樋８４に取り付ける場合に比べて、アンテナ部５０の受信感度や受信品質等を向上し易くすることができる。
【００５５】
更に、本実施形態においては、アンテナ部５０を接続体４に対して回転させることができる。このため、本実施形態においては、アンテナ部５０が放送電波を受信し易い向きに調整し易くすることができて、受信感度等を向上し易くすることができる。
【００５６】
また、本実施形態においては、雨樋アンテナ３を軒樋１に取り付ける場合、図４に示すように、第１接続体４１の第２端面部４６ｂに保持部４８を設けることが好ましい。以下、第１端面部４６ａの保持部４７を第１保持部４７とし、第２端面部４６ｂの保持部４８を第２保持部４８とする。
【００５７】
第２保持部４８は、膨出部４６の第２端面部４６ｂに設けられる。第２保持部４８は、上下方向において、第２端面部４６ｂに貫通した孔状に形成される。第２接続部５７は、第１保持部４７と第２保持部４８のいずれか一方に保持される。言い換えると、第２接続部５７は、両保持部４７，４８から択一的に取り付けられる。
【００５８】
更に、第２接続部５７は、第２保持部４８に保持されることで、第１接続体４１の外部に露出する。そして、給電路５５は、この状態（第２接続部５７が保持部４７に保持された状態）で、第２接続部５７にケーブル８７が接続される。言い換えると、第１接続体４１は、第２端面部４６ｂ（軒樋１に取り付けた状態における下部）に、給電路５５をケーブル８７に接続するための貫通孔（第２保持部４８）を有する。
【００５９】
なお、雨樋アンテナ３は、第２保持部４８を設けるにあたり、第１保持部４７を備えた第１接続体４１から第２保持部４８を備えた他の第１接続体４１に交換して設けてもよく、例えば施工現場等で貫通孔を形成して設けてもよい。
【００６０】
このため、第２保持部４８で保持した場合では、第１保持部４７で保持した場合に比べて、給電路５５の第２接続部５７を建物８のケーブル８７用の前記挿通孔に近づけ易くすることができる。言い換えると、雨樋アンテナ３は、第２保持部４８で第２接続部５７を保持することで、第２接続部５７を軒樋１側に向けて露出させた状態でケーブル８７に接続することができる。このため、雨樋アンテナ３は、ケーブル８７の軒先側への導出長さを抑えたり、給電路５５の導出長さを抑えたりすることができる。これによって、この場合では、ケーブル８７や給電路５５を弛み難くすることができて、ケーブル８７等が風で揺られることを軽減し易くなる。このため、ケーブル８７は、前記風で揺られることによる、第２接続部５７からの離脱や、ケーブル８７が屋根面を叩くことによる騒音等を生じ難くすることができる。
【００６１】
また、給電路５５とケーブル８７との接続用の貫通孔４８は、第２接続部５７を外部（下方）に露出させた状態で固定する第１保持部４７であってもよい。この場合では、ケーブル８７に付着した雨水等がケーブル８７を伝って第２接続部５７やケーブル８７の接続部位に至り難くすることができて、第２接続部５７等に雨水等を付着し難くすることができる。また、雨樋アンテナ３は、軒樋１に取り付ける場合に施工現場等で貫通孔４８を形成するものに限らず、第１接続体４１を、貫通孔４８を設けた第１接続体４１（本体部４３）に交換するもの等であってもよい。
【００６２】
なお、本実施形態においては、雨樋アンテナ３を軒樋１に取り付ける場合、第２接続体４２の樋体３０とは反対の端部に、第２接続体４２の端部開口を覆うキャップを設けることが好ましい。この場合では、前記キャップによって、樋体３０内部への落ち葉等のごみや虫等の侵入を抑制することができる。
【００６３】
また、本実施形態においては、雨樋アンテナ３を軒樋１に取り付ける場合、第２接続部５７を第１保持部４７から第２保持部４８に付け替えるよう構成される。このため、雨樋アンテナ３を軒樋１に取り付けた状態において、給電路５５は、第２接続部５７が第１端面部４６ａ側に露出せず、雨水等を付着し難くすることができる。
【００６４】
また、本実施形態において、取付部７は、各吊り具２に設けたり、複数の吊り具２に対して選択的に着脱自在としたり等してもよい。この場合、複数の吊り具２から、雨樋アンテナ３を取り付ける吊り具２を選択可能にすることができる。言い換えると、この場合では、雨樋アンテナ３の取付位置を、軒樋１の長手方向（軒方向）における複数個所から選択することができる。これによって、この場合では、アンテナ部５０の受信感度等を調整し易くすることができる。
【００６５】
また、被覆体３６は省略してもよい。また、アンテナ部５０は、筒部３２の外面に設けたが、筒部３２の厚み方向の内部や被覆体３６の内面等に設けてもよく、アンテナ部５０は筒部３２の周囲に設けてあればよい。また、アンテナ部５０は、水平断面略Ｃ字状に限定されるものではなく、またアンテナ部５０をスロットアンテナ以外のアンテナで構成してもよい。
【００６６】
また、雨樋アンテナ３の取付構造は、図６に示すように、取付部７をドレン１４に設けてもよい。この例では、ごみ除け部１５の上端に取付部７が設けられる。ドレン１４は、平面視において、建物８の軒先（本実施形態では軒天井８３）までの距離が、軒側端部８２から前記軒先までの距離より大寸になっている。言い換えると、軒側端部８２は、平面視において、ドレン１４と前記軒先との間に位置する。そして、軒側端部８２は、平面視において、軒樋１の開口内（Ｕ字の両端の間）に位置する。
【００６７】
取付部７は、オーバーフロー部１７の代りに、この部位（ごみ除け部１５の上端）に設けてある。このため、取付部７は、リブ１６（ごみ除け部１５の上端）から上方に突出する。そして、ドレン１４の取付部７に雨樋アンテナ３を取り付ける場合では、平面視において、雨樋アンテナ３と前記軒先との間に、軒側端部８２が位置するよう構成される。言い換えると、軒側端部８２は、雨樋アンテナ３より棟側に位置するよう構成される。更に、雨樋アンテナ３を軒樋１に取り付ける場合では、竪樋８４に取り付ける場合に比べて、アンテナ部５０を高所に位置させることができる。これによって、この場合では、前記周辺環境等の影響を軽減し易くなり、アンテナ部５０の受信感度等を向上し易くすることができる。
【００６８】
また、取付部７をドレン１４に設ける場合では、ドレン１４に雨樋アンテナ３の荷重がかかるため、オーバーフロー部１７を有するドレン１４に比べて、リブ１６の肉厚を厚くして、ドレン１４の強度を向上させることが好ましい。また、ドレン１４に雨樋アンテナ３を取り付ける場合では、雨樋アンテナ３を軒樋１で支えるため、樋部材１０を例えば鉄等の金属部材等で形成して（芯材に金属を用いる場合を含む）、樋部材１０の強度を向上させることが好ましい。
【００６９】
なお、本発明は、前記例示の構成にのみ限定されるものではなく、要旨を逸脱しない範囲内で適宜変更して実施し得るものである。
【符号の説明】
【００７０】
１  軒樋
１０  樋部材
１１  排水口
１４  ドレン
１５  ごみ除け部
２  吊り具
３  雨樋アンテナ
３０  樋体
３０ａ  第１端部
３０ｂ  第２端部
３２  筒部
３６  被覆体
４  接続体
４１  第１接続体
４８  貫通孔
５０  アンテナ部
５５  給電路
５６  第１接続部
５７  第２接続部
７  取付部
８０  ケーブル
８４  竪樋
【図１】
2014173401.tif 000003
【図２】
2014173401.tif 000004
【図３】
2014173401.tif 000005
【図４】
2014173401.tif 000006
【図５】
2014173401.tif 000007
【図６】
2014173401.tif 000008